【事件の表示】
　平成　２年特許願第　３２４０２号「画像入力装置」拒絶査定に対する審判事件［平成　３年１０月２３日出願公開、特開平　３−２３７８９０］について、次のとおり審決する。
【結　論】
　本件審判の請求は、成り立たない。
【理　由】
１．手続きの経緯、本願発明
　本願は、平成２年２月１５日の出願であって、その特許請求の範囲の請求項１に係る発明（以下「本願発明」という。）は、手続補正書により補正された明細書および図面の記載からみて、次のとおりのものである。
「被写体を撮像する撮像手段と、
　前記撮像手段の撮像出力に対してホワイトバランス制御を行う初期値に関する制御情報を記憶する記憶手段と、
　前記記憶手段によって記憶された制御情報から得られる初期値をホワイトバランス調整の初期値として前記撮像手段の撮像出力に対してホワイトバランス調整動作を開始してから、前記撮像手段の撮像出力に基づいてホワイトバランス調整を行うホワイトバランス調整手段と、
　前記ホワイトバランス調整手段の調整動作にともなって、前記記憶手段によって記憶される初期値に関する制御情報を、前記撮像手段の撮像出力に基づいてホワイトバランス制御が行われたときの前記ホワイトバランス調整手段の制御情報に書き換える制御手段とを有することを特徴とする画像入力装置。」
　
２．引用例
　これに対して、当審の拒絶理由に引用された特開平１−２９３０８７号公報（以下「引用例」という。）には、ホワイトバランス設定を容易としたビデオカメラ装置に関し、次のことが記載されている。
（ａ）第３図はＲＧＢ信号のうちＲ信号の色バランスをとりそのデータを記憶する回路を示しているが、実際には同様に構成したＢ信号の色バランスをとりそのデータを記憶するもう一系統の回路がある。１はＲ信号の減衰度をホワイトバランス制御回路２の出力によって変化させる電子アッテネータ、３は電子アッテネータ１により減衰されたＲ信号と輝度Ｙ信号とにより色差信号Ｒ−Ｙを作成する色差回路である。色差信号Ｒ−Ｙは、図示しないエンコーダへ出力されるとともに、ホワイトバランス制御回路２へループさせるためにレベルクランプ回路４へ入力される。レベルクランプ回路４は、色差信号を直流レベルに固定してＲ信号の黒レベルを固定する。５は、レベルクランプ回路４の黒レベルをＧ信号のレベルに相当する基準電圧Ｖｆで比較し、ＲＧＢ信号のＲ信号がＧ信号のレベルより大きいか、小さいかまたは等しいかをホワイトバランス制御回路２へ送出するコンパレータである。
　ホワイトバランス制御回路２は、カウント値を変化させて最終的にホワイトバランスデータを記憶するカウンタ２ａと、カウンタ２ａの内容（カウント値）をＤ−Ａ変換したアナログ信号を電子アッテネータ１へ出力するＤ−Ａコンバータ２ｂとから成る。カウンタ２ａは、コンパレータ５の出力でクロック入力によるカウントアップまたはカウントダウンを行うことによってその内容を変化させ、コンパレータ５の入力が比較電圧Ｖｆと等しくなってその出力が”０”となったときカウント動作を止め、その内容をホワイトバランスデータとして保持する。６はカウンタの内容（ホワイトバランスデータ）を電源オフ後も保持するためのバックアップコンデンサ、７はホワイトバランスデータに相当する電位でバックアップコンデンサ６にチャージさせるとともに使用時にはその電位をＡ−Ｄ変換してカウンタに設定するバックアップ制御回路である。
　以上の構成により、従来は、まずＲＧＢ信号のＲ信号とＢ信号をそれぞれのコンパレータ５によってＧ信号に相当するレベルと比較し、大であればカウンタ２ａをカウントアップして電子アッテネータ１の減衰量を増加させ、小であれば逆にカウンタ２ａをカウントダウンして電子アッテネータ１の減衰量を減少させて、Ｇ信号と同一レベルになるようにコントロールする。続いて、カウンタ２ａに記憶したホワイトバランスデータをバックアップコンデンサ６に保持させ、電源のオフ後も保持できるようにし、使用時にはバックアップコンデンサ６のチャージ量を基にカウンタ２ａにホワイトバランスデータを設定する（第２頁左上欄第５行ないし左下欄第１４行、第３図）。
（ｂ）第１図は本発明のビデオカメラ装置のホワイトバランスシステムの要部の一実施例を示すブロック図である。本実施例では第３図の従来例におけるバックアップコンデンサ６とバックアップ制御回路７に代えて、ＥＥＰＲＯＭ１０とそのＥＥＰＲＯＭの制御回路１１とで置き換えたものである。・・・ＥＥＰＲＯＭ制御回路１１は、ホワイトバランスのとれた時点、即ち上記においてＲ信号、Ｂ信号が共にＧ信号に等しく調整された時点で、２系統のカウンタ２ａのカウント値、即ちホワイトバランスデータをＥＥＰＲＯＭ１０へ書き込むとともに、電源オン時にはＥＥＰＲＯＭ１０からホワイトバランスデータの読み出しを行うことにより、電源がオフされる前にとったホワイトバランスデータをカウンタ２ａに設定する機能を有する（第３頁左上欄第１７行ないし左下欄第１６行）。
　
３．対比
　引用例に記載された発明（以下引用発明という）は、ビデオカメラ装置に関するものであることから撮像手段を備える画像入力装置といえるものであり、また、電子アッテネータ、色差回路、レベルクランプ回路、コンパレータ、カウンタ、Ｄ−Ａコンバータを要部とするホワイトバランスシステムを備え、当該システムは、撮像手段の撮像出力に基づいてホワイトバランス調整を行うものである。
　また、引用発明において、バックアップ制御回路またはＥＥＰＲＯＭ制御回路は、コンパレータ出力がゼロとなった時点（ホワイトバランスのとれた時点）でカウンタのカウント値（ホワイトバランスデータ）をバックアップコンデンサ、またはＥＥＰＲＯＭに記憶するものである。
　さらに、電源がオフされた後、電源がオンとなった時（使用時）には、前記記憶されたカウント値（ホワイトバランスデータ）がカウンタに設定されて、ホワイトバランスの設定が行われるものである。
　そうすると、本願発明と引用発明は、
「被写体を撮像する撮像手段と、
　前記撮像手段の撮像出力に対してホワイトバランス制御を行う制御情報を記憶する記憶手段と、
　前記撮像手段の撮像出力に基づいてホワイトバランス調整を行うホワイトバランス調整手段と、
　前記ホワイトバランス調整手段の調整動作にともなって、前記撮像手段の撮像出力に基づいてホワイトバランス制御が行われたときの前記ホワイトバランス調整手段の制御情報を前記記憶手段に書き込む制御手段とを有することを特徴とする画像入力装置。」
である点で一致し、次の点で一応相違すると認められる。
　相違点
（１）本願発明では、上記制御情報が、初期値に関する制御情報であり、さらに、上記ホワイトバランス調整手段が、記憶手段によって記憶された制御情報から得られる初期値をホワイトバランス調整の初期値として前記撮像手段の撮像出力に対してホワイトバランス調整動作を開始してから、前記撮像手段の撮像出力に基づいてホワイトバランス調整を行うのに対し、引用発明では、そのような点については開示がない点。
（２）本願発明では、上記制御手段が、記憶手段によって記憶される制御情報を、撮像手段の撮像出力に基づいてホワイトバランス制御が行われたときの前記ホワイトバランス調整手段の制御情報に書き換えるのに対し、引用発明では、そのような点については開示がない点。
　
４．判断
　そこで、上記相違点について判断する。
　相違点（１）について
　引用発明は、上記のとおり、ホワイトバランスの調整を行い、ホワイトバランスのとれた時点でカウンタのカウント値（ホワイトバランスデータ）をバックアップコンデンサ、またはＥＥＰＲＯＭに記憶しておき、電源がオフされた後、電源がオンとなった時（使用時）には、この記憶されたカウント値がカウンタに設定されて、ホワイトバランスが設定されるものであるが、一旦、ホワイトバランスを調整し、カウント値を記憶した後であっても、経時変化、撮影条件の変化等に対応するため、再びホワイトバランスの調整を行うことは通常考えられるところであり、その際、バックアップコンデンサ、またはＥＥＰＲＯＭに記憶されているカウント値（ホワイトバランスデータ）を初期値としてカウンタに設定し、撮像手段の撮像出力に対してホワイトバランス調整動作を開始してから、前記撮像手段の撮像出力に基づいてホワイトバランスの調整を行うようにすることは、当業者であれば、格別の創意工夫を要することなくなし得ることである。
　そうすると、引用発明において、制御情報を初期値に関する制御情報とし、ホワイトバランス調整手段が、記憶手段によって記憶された制御情報から得られる初期値をホワイトバランス調整の初期値として撮像手段の撮像出力に対してホワイトバランス調整動作を開始してから、撮像手段の撮像出力に基づいてホワイトバランス調整を行うように構成することは、当業者が容易になし得ることであると認められる。
　
　相違点（２）について
　上記相違点（１）で述べたように、引用発明において、一旦、ホワイトバランスを調整し、カウント値（ホワイトバランスデータ）を記憶した後であっても、経時変化、撮影条件の変化等に対応するため、再びホワイトバランスの調整を行うことは通常考えられるところであり、当該再度のホワイトバランスの調整の際に、記憶手段にすでに記憶されているカウント値（ホワイトバランスデータ）を、再度のホワイトバランスの調整でホワイトバランスのとれた時点でのカウンタのカウント値（ホワイトバランスデータ）に書き換えることは、当業者が普通になし得ることであると認められる。
　よって、引用発明において、制御手段が、記憶手段によって記憶される制御情報を、撮像手段の撮像出力に基づいてホワイトバランス制御が行われたときの前記ホワイトバランス調整手段の制御情報に書き換えるようにすることは、当業者であれば容易になし得ることと認められる。
　
　そして、上記相違点に基づく本願発明の効果についてみても、格別顕著なものは認められない。
　
５．むすび
　以上のとおりであるから、本願発明は、引用例に記載された発明に基づいて当業者が容易に発明をすることができたものであり、したがって特許法第２９条第２項の規定により特許を受けることができない。
　よって、結論のとおり審決する。